(57)【要約】 【課題】  複数のデータファイルを再生リスト単位で再生する技術における操作性及び利便性の向上を提供する。【解決手段】  再生装置１０は、複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶する記憶部１４、２６と、再生リストの選択操作、及び、再生リスト中のデータファイルに関連づけられたポイント情報に基づく再生操作を受け付ける操作部２４と、選択された再生リストに従ってデータファイルを再生するとともに、前記操作部２４によるポイント情報に基づく再生操作に応じてデータファイルを再生する制御を行うシステム制御部１２と、を備える。【選択図】  図３
2008204560.tif 000002
【特許請求の範囲】
【請求項１】
複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶する記憶部と、
再生リストの選択操作、及び、再生リスト中のデータファイルに関連づけられたポイント情報に基づく再生操作を受け付ける操作部と、
選択された再生リストに従ってデータファイルを再生するとともに、前記操作部によるポイント情報に基づく再生操作に応じてデータファイルを再生する制御を行う制御部と、
を備える、ことを特徴とする再生装置。
【請求項２】
選択された再生リスト中のデータファイルについて、ポイントが設定されているとき、その旨をユーザに通知する、ことを特徴とする請求項１に記載の再生装置。
【請求項３】
選択された再生リスト中のデータファイルについて、ポイントが設定されているとき、当該ポイントをユーザに通知する、ことを特徴とする請求項１又は２に記載の再生装置。
【請求項４】
選択された再生リスト中のデータファイルについて、ポイントが設定されているとき、当該ポイントの関連情報をユーザに通知する、ことを特徴とする請求項１乃至３のいずれか１項に記載の再生装置。
【請求項５】
複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶するステップと、
再生リストの選択操作、及び、再生リスト中のデータファイルに関連づけられたポイント情報に基づく再生操作を受け付けるステップと、
選択された再生リストに従ってデータファイルを再生するとともに、前記操作部によるポイント情報に基づく再生操作に応じてデータファイルを再生する制御を行うステップと、
を備える、ことを特徴とする再生方法。
【請求項６】
複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶する手順と、
再生リストの選択操作、及び、再生リスト中のデータファイルに関連づけられたポイント情報に基づく再生操作を受け付ける手順と、
選択された再生リストに従ってデータファイルを再生するとともに、前記操作部によるポイント情報に基づく再生操作に応じてデータファイルを再生する制御を行う手順と、
をコンピュータに実行させるためのプログラム。
【請求項７】
請求項６に記載のプログラムを記録した記録媒体。
【発明の詳細な説明】
【技術分野】
【０００１】
本発明は、複数のデータファイルを再生リスト単位で再生する技術に関する。
【背景技術】
【０００２】
今日、クラブ等において音楽を提供するディスクジョッキー（Disc Jockey：以下、ＤＪ）等が用いる再生装置には、楽曲に特殊な演出を付与するための様々な機能が採用されている。例えば、楽曲の中で指定された任意のポイントにダイレクトにアクセスして再生をスタートする「キュー（ホットスタート）再生」や、楽曲の中で指定された任意の範囲の再生を繰り返す「ループ再生」等がある。これらの機能を実現するための演出ポイント（再生の開始・終了ポイント）は「キューポイント」としてＤＪ等のユーザにより設定され、再生装置の持つ情報メモリに書き込まれる。
【０００３】
従来の光ディスクを用いたこのような再生装置では、キューポイントが設定されたとき、設定されたキューポイント情報（再生の頭出し位置情報）をオーディオファイル（曲トラック）に対応づけて情報メモリに書き込む。さらに、あるオーディオファイルが選択されたとき、キューポイントに対応するオーディオデータが光ディスクから予め読み出され、バッファメモリに蓄えられる。その状態で、キューポイントからの再生が指示されたとき、バッファメモリから瞬時にデータが読み出される（例えば、特許文献１参照）。
【０００４】
近年、ハードディスク等の大容量化の進行及びデータ圧縮伸張技術の進展により、１つの記録媒体に多数、例えば、数千〜数万ものオーディオファイルが保存可能となっている。ハードディスク等に記録された多数のオーディオファイルについて、ユーザは、再生したいファイルを選択して再生リストを予め作成しておき、再生リスト単位で再生を行うのが一般的である（例えば、特許文献２参照）。
【０００５】
ＤＪ等においても、従来の光ディスク単位のプレイから、ハードディスク等に保存した多数のオーディオファイルについてのプレイリスト単位でのプレイに移行しようとしている。例えば、パーソナルコンピュータにおいて記録媒体に保存されたオーディオファイルについていわゆるＤＪプレイを行うためのソフトウェアが開発されている（非特許文献１参照）。
【０００６】
上記ソフトウェアにおいて、キューポイント情報は、再生リスト毎に限られた数（８つ）のみ設定可能である（「リストホットキュー」機能）。ユーザは、再生リスト毎に設定されたキュー／ループポイントが割り当てられた８つのボタンをクリックして、キュー／ループ再生を行う。
【０００７】
【特許文献１】特開２００３−１３２６３４号公報
【特許文献２】特開２００５−１９６８３３号公報
【非特許文献１】製品情報ＳＶＪ−ＤＪ０１、パイオニア株式会社、［online］、［２００７年２月７日検索］、インターネット（URL：http://pioneer.jp/cdj/products/djsoftware/svj_dl01.html）
【発明の開示】
【発明が解決しようとする課題】
【０００８】
しかし、上記ソフトウェアによる再生リスト単位でのプレイは、従来の光ディスク単位でのプレイに馴染んでいたユーザには違和感を感じさせる。すなわち、従来の光ディスク再生装置では、キュースイッチやループスイッチはそれぞれ２〜３個設けられてトラック毎に各スイッチにキュー／ループポイントが割り当てられる。一方、上記ソフトウェアでは、キュー／ループポイントが割り当てられた８つのボタンをユーザがクリックして操作する。このため、従来の光ディスク再生装置に馴染んだユーザにはその操作に違和感を感じさせる。
【０００９】
また、ボタン数が限られているため、キューポイント等の設定数は限られたものとなり、実質的にユーザによるプレイの幅が制限される。さらに、ＤＪプレイにはリアルタイムでの操作が求められるが、このように多数のボタンについて常に割り当てた内容を覚えておき、所望のボタンを瞬時に選別して操作することはユーザには難しい。このように、再生リスト毎に、多数のスイッチにキュー／ループポイントを割り当てる手法は、ユーザにとって利便性及び操作性が悪いという問題があった。
【００１０】
同様の問題は、ハードディスク等の固定記憶媒体を備え、記憶媒体に保存された多数のデータファイルについて上記ソフトウェアの機能を実現する再生装置においても存在する。このように、上記従来技術には、ユーザにとって利便性が悪く、操作性が悪いという問題があった。本発明は、上記従来技術における問題を解決することを目的とする。
【課題を解決するための手段】
【００１１】
上記目的を達成するため、本発明の第１の態様における再生装置は、複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶する記憶部と、再生リストの選択操作、及び、再生リスト中のデータファイルに関連づけられたポイント情報に基づく再生操作を受け付ける操作部と、選択された再生リストに従ってデータファイルを再生するとともに、前記操作部によるポイント情報に基づく再生操作に応じてデータファイルを再生する制御を行う制御部と、を備える。
【００１２】
上記構成において、選択された再生リスト中のデータファイルについて、ポイントが設定されているとき、その旨をユーザに通知するようにしてもよい。
また、選択された再生リスト中のデータファイルについて、ポイントが設定されているとき、当該ポイントをユーザに通知するようにしてもよい。
さらに、選択された再生リスト中のデータファイルについて、ポイントが設定されているとき、当該ポイントの関連情報をユーザに通知するようにしてもよい。
【００１３】
上記目的を達成するため、本発明の第２の態様における再生方法は、複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶するステップと、再生リストの選択操作、及び、再生リスト中のデータファイルに関連づけられたポイント情報に基づく再生操作を受け付けるステップと、選択された再生リストに従ってデータファイルを再生するとともに、前記操作部によるポイント情報に基づく再生操作に応じてデータファイルを再生する制御を行うステップと、を備える。
【００１４】
上記目的を達成するため、本発明の第３の態様におけるプログラムは、複数のデータファイルのうちから選択されるデータファイルを管理するための１又は複数の再生リストであって、当該再生リストに含まれるデータファイル毎に関連づけられた当該再生リスト中の任意のポイントを示すポイント情報を含んでなる再生リストを記憶する手順と、再生リストの選択操作、及び、再生リスト中のデータファイルに関連づけられたポイント情報に基づく再生操作を受け付ける手順と、選択された再生リストに従ってデータファイルを再生するとともに、前記操作部によるポイント情報に基づく再生操作に応じてデータファイルを再生する制御を行う手順と、をコンピュータに実行させるためのプログラム。
【００１５】
上記プログラムは、公衆回線を介してサーバからのダウンロード等によって頒布されてもよく、また、当該プログラムを記録した記録媒体、例えば、光ディスク等によって頒布してもよい。上記プログラムを再生装置の動作ソフトウェアや、このような再生装置の機能を汎用コンピュータ上で実現するソフトウェアに組み込み等することにより、本発明を実現可能である。
【発明の効果】
【００１６】
本発明によれば、複数のデータファイルを再生リスト単位で再生する技術における操作性及び利便性の向上が提供される。
また、本発明によれば、光ディスク単位でのプレイと同様の操作性を実現しつつ、複数のデータファイルを再生リスト単位で再生する技術における操作性及び利便性の向上が提供される。
【発明を実施するための最良の形態】
【００１７】
本発明に係る実施の形態について、以下、図面を参照して詳細に説明する。なお、以下に示す実施の形態は一例であり、これに限定されない。
以下に示す本実施の形態に係る再生装置は、ハードディスクに記録されたデジタルオーディオデータについて、ＤＪ等の操作者が自在な再生を行うことが可能であり、例えば、クラブ、スタジオ、ホームパーティ等で好適に使用可能である。
【００１８】
本発明の実施の形態に係る再生装置の構成を図１に示す。図１に示す再生装置１０は、システム制御部１２と、再生部１４と、ＲＡＭ（Random Access Memory）１６と、メモリ制御部１８と、ＤＡＣ（Digital to Analog Converter）２０と、表示部２２と、操作部２４と、を備える。
【００１９】
システム制御部１２は、再生装置１０の動作を統括的に制御する。
【００２０】
再生部１４は、ハードディスクドライブから構成され、記録媒体（ハードディスク）２６に記録されたデジタルオーディオデータファイルを読み取り、再生する。オーディオファイルのフォーマットは、ＭＰ３（Moving Picture Experts Group Audio Layer3）、ＡＩＦＦ（Audio Interchange File Format）、ＷＡＶ（Word Audio Video）、ＭＩＤＩ（Musical Instruments Digital Interface）等いかなるものであってもよい。
【００２１】
ＲＡＭ１６は、再生部１４が読み出したデジタルオーディオ信号を一時的に記憶する。
【００２２】
メモリ制御部１８は、再生部１４から再生されたデータのＲＡＭ１６への書き込みを制御し、ＲＡＭ１６のメモリアドレスを管理する。また、メモリ制御部１８は、後述するシステム制御部１２により指示されたアドレス順及び速度で、ＲＡＭ１６に記憶されたオーディオデータを読み出す。
【００２３】
ＤＡＣ２０は、メモリ制御部１８によりＲＡＭ１６から読み出されたデジタルオーディオデータをアナログオーディオ信号に変換する。ＤＡＣ２０から出力されたアナログオーディオ信号は、出力端子２８を介してスピーカ等の機器に出力される。ＤＡＣ２０と出力端子２８との間には、例えばアンプが設けられ、増幅したアナログオーディオ信号を出力する。出力先がデジタルデータを受信可能な場合には、ＤＡＣ２０を設けなくとも良い。
【００２４】
表示部２２は、液晶表示装置等から構成される。表示部２２は、現在再生しているトラック、チャプタ、ファイルの再生時間、操作内容等の操作に必要な情報を表示する。
【００２５】
操作部２４は、操作ボタン等を備えた操作パネルを含んで構成され、ユーザの操作入力を受け付ける。図２に、操作パネル３０の一例を示す。図２に示す操作パネル３０は、ジョグダイヤル３１、再生スイッチ３２、再生停止スイッチ３３、再生リスト選択スイッチ３４、選択つまみ３５、エンタースイッチ３６、ホットスタートスイッチ３７、ループスイッチ３８、クリアスイッチ３９を備える。操作パネル３０には、表示部２２を構成する表示面４０も設けられている。勿論、操作パネル３０には、操作を制御するための他の操作スイッチ等が設けられていても良い。
【００２６】
ジョグダイヤル３１は、その回転速度及び回転方向に応じた、ＲＡＭ１６に記憶されたオーディオデータの読み出し速度及び順序の変更入力を受け付ける。ジョグダイヤル３１が操作されない状態で、オーディオデータは通常の読み出し順序及び速度でＲＡＭ１６から読み出される。ジョグダイヤル３１の回転操作によって、いわゆるスクラッチ再生等が可能となる。
【００２７】
再生スイッチ３２及び再生停止スイッチ３３は、オーディオデータの再生の開始及び停止に関する指示をそれぞれ受け付ける。
【００２８】
再生リスト選択スイッチ３４は、予め設定された複数のプレイリストからいずれかを選択するために設けられる。再生リスト選択スイッチ３４が押されたとき、表示面４０には選択可能な再生リストが表示され、選択つまみ３５を回してそのいずれかを選択し、エンタースイッチ３６により確定する。確定された再生リストに含まれるオーディオファイルについて、さらに選択つまみ３５で選択すれば当該オーディオファイルの再生が可能となる。
【００２９】
ホットスタートスイッチ３７は、３系統設けられている。ホットスタートスイッチ３７には、それぞれ、一つの再生リスト中の一つのオーディオファイルのタイムコードが割り当てられる。特定の再生リスト中のオーディオファイルの再生中にホットスタートスイッチ３７が押されたとき、このオーディオファイルについて設定されたホットスタートポイントからの再生が行われる。以下で詳述するように、ホットスタートポイントは、１つのオーディオファイルについて、再生リスト単位で異なったポイントに設定可能である。
【００３０】
ループスイッチ３８は、ループの開始点／終点の組み合わせで１系統を備える。ループスイッチ３８には、一つの再生リスト中の１又は複数のオーディオファイルのタイムコードがループの開始ポイントと終了ポイントとが割り当てられる。特定の再生リストを再生中にループボタンが押されたとき、再生リストについて設定されたループ開始ポイントからのループ再生が行われ、又は、ループ再生が終了する。以下で詳述するように、ループポイントは、再生リスト単位で異なったポイントに設定可能である。
【００３１】
本実施の形態では、再生リスト中の、ホットスタートポイント及びループポイントが設定されたオーディオファイルが選択されたとき、各ポイントから始まる所定量（例えば、３秒分）のオーディオデータがＲＡＭ１６に読み出される。これにより、通常再生状態でホットスタート又はループ再生が指示されたときにおいても、違和感のない、シームレスな連続再生が可能となる。
【００３２】
勿論、ホットスタートスイッチ３７及びループスイッチ３８は上記設定数に限らず、いくつ設定してもよい。
【００３３】
また、再生リストにホットスタートポイントやループポイントが設定されているか否かをユーザが視覚的に容易に認知できるよう、ホットスタートスイッチ３７やループスイッチ３８の内部にＬＥＤ(Light Emission Diode）を備え、設定されている場合にのみＬＥＤが点灯するようにしてもよい。
【００３４】
クリアスイッチ３９は、後述する、再生リスト毎に設定登録されたホットスタートポイント情報及びループポイント情報を解除（消去）するために設けられている。例えば、クリアスイッチ３９を押した状態で、いずれかのホットスタートボタンを押したとき、このホットスタートボタンに割り当てられたホットスタートポイント情報は消去される。このとき、後述する再生リストデータのリストデータが書き換えられる。
【００３５】
なお、クリアスイッチ３９の誤操作によって、ホットスタートポイント情報及びループポイント情報が消去されないよう、例えば「やり直しボタン」を設けて、クリア操作を取り消し、元の状態に回復可能なようにしてもよい。
【００３６】
以下、本実施の形態における再生リストの管理方法について説明する。
再生部１４において再生されるオーディオファイルは、記録媒体２６を構成するハードディスクに保存される。記録媒体２６には、保存されたオーディオファイルを管理する管理データが記録されている。管理データは、記録媒体２６へのオーディオファイルの登録及び削除の際に更新され、また、ユーザの編集作業によっても変更される。
【００３７】
管理データの構成例を図３に示す。図３に示すように、記録媒体２６に保存されたデータには識別番号（Ｎｏ．）が付与され、管理データにおいて、ハードディスク上の開始アドレスと対応づけて管理される。また、各オーディオファイルの管理データには、オーディオファイルのメタデータから取得された属性情報（名称、ジャンル、アルバム名等）が含まれる。管理データには、多数の、例えば、数千〜数万のオーディオファイルが保存される。
【００３８】
また、管理データとは別に、再生リストを管理するための再生リストデータが記録媒体２６に記録される。再生リストデータを構成する再生リストは、保存されたオーディオファイルのうちから選択された、例えば、１０〜５０個のオーディオファイルを管理するためのリストである。再生リストデータは、１又は複数の再生リストを含んで構成される。
【００３９】
図３に示す例において、各再生リストは、属性情報データと、リストデータと、を含む。
【００４０】
属性情報データは、再生リストの、再生リスト名、カテゴリー等の属性情報から構成される。
【００４１】
リストデータは、再生リストを構成するオーディオファイルの管理データにおける識別番号から構成される。リストデータは、再生する順番を示すトラック番号（Ｔｒ１、…、Ｔｒｎ）によって管理され、識別番号毎にトラック番号が付与される。トラック番号は、例えば、記録順に自動的に付与され、登録後ユーザが自ら変更可能である。
【００４２】
再生リスト中の曲が選択され、再生指示されたとき、管理データに基づいてその開始アドレスからデータが再生される。なお、リストデータは、各オーディオファイルのハードディスク上のアドレスより構成されてもよい。また、図示しないが、リストデータには、オーディオファイルの名称等の属性情報が含まれる。
【００４３】
また、リストデータには、再生リストに含まれる各オーディオファイルについて設定されたホットスタートポイント情報及びループポイント情報が含まれる。ホットスタートポイント情報は、ホットスタートポイントのポイント情報（ＨＯＴ１〜ＨＯＴ３）と、ループ再生のポイント情報（ＬＯＯＰ  ＩＮ、ＬＯＯＰ  ＯＵＴ）と、を含む。これらのポイント情報は、あるオーディオファイルについて各再生リスト毎に設定可能である。
【００４４】
ホットスタートポイント情報（ＨＯＴ１〜ＨＯＴ３）は、当該再生リストにおけるオーディオファイルのホットスタートの開始ポイント情報を示し、オーディオファイルのトラック番号（Ｔｒ  Ｎｏ．）と、当該トラックにおけるタイムコード（ＴＣ）と、から構成される。タイムコード（ＴＣ）はトラック番号（Ｔｒ）で指定されるオーディオファイルに関して設定されたポイントを示し、例えば、００分００秒００フレームのフォーマットで構成される。
【００４５】
ループポイント情報（ＬＯＯＰ  ＩＮ、ＬＯＯＰ  ＯＵＴ）は、ループ再生の開始及び終了ポイントをそれぞれ示し、開始・終了ポイントについて再生リスト中の１又は複数のオーディオファイルのトラック番号（Ｔｒ  Ｎｏ．）と、当該トラックにおけるタイムコード（ＴＣ）と、がそれぞれ記録される。すなわち、本実施の形態において、ループの開始及び終了ポイントは、同一のオーディオファイルに限られず、再生リスト中のいずれのオーディオファイルであってもよく、異なるオーディオファイル間のループ再生も可能である。
【００４６】
再生リストへのオーディオファイルの登録は、デフォルト（システムが立ち上った最初の状態）の状態をプレイモードから、例えば表示面４０のインタフェースから再生リスト登録モードに移行することによって行うことができる。例えば、ユーザは選択つまみ３５で再生する曲のオーディオファイルを選択し、所望の再生リストに登録する。このとき、当該再生リストには、オーディオファイルがリストデータに登録される。ユーザは、表示面４０のインタフェース上で所望の曲順の再生リストを作成することが可能である。
【００４７】
ポイント情報の登録は、再生リストを介して呼び出されたオーディオファイルの再生中、あるいは一時停止中にホットスイッチやループスイッチ３８を押すことにより、押下した時点の再生トラックと再生ポイント（タイムコード）を、再生リストのリストデータに登録することにより行われる。
【００４８】
ホットスタートポイント及びループポイントの消去は、クリアスイッチ３９を押しながら変更したいホットスイッチやループスイッチ３８を押すことによりなされる。新たなポイントを設定したい場合には、上記手順に従って、再度設定される。
なお、ポイント情報の消去、変更は、表示部２２に表示されるインタフェースを介して行っても良い。
【００４９】
再生リストが選択されたときの動作を以下に説明する。まず、再生リスト選択スイッチ３４が押されたとき、再生リスト選択モードに移行する。ユーザは表示面４０のインタフェースから、選択つまみ３５及びエンタースイッチ３６で、所望の再生リストを選択する。
【００５０】
次いで、再生リスト中の所望のオーディオファイルが選択されたとき、このオーディオファイルについて設定されたリストデータ（ホットスタートポイント情報及びループポイント情報）が参照され、トラック番号及びタイムコードに対応するオーディオファイルの指定ポイントを開始点とし、所定量のオーディオデータがＲＡＭ１６に読み出される。
【００５１】
データの読出しは、３系統のホットポイント情報及び１系統のループポイント情報の全てに対して行われる。データの読み出しが終了後、例えば、各スイッチに設けられたＬＥＤが点灯される。
【００５２】
所望の再生リストを用いて、ユーザは、以下のように特殊再生を行う。
ホットスタート再生を行う際、ユーザは再生リスト中のオーディオファイルの再生中にホットスイッチを押す。このとき、再生リストの選択に応じてＲＡＭ１６に予め蓄えられていたオーディオデータが読み出されてシームレスな再生が開始されると共に、ホットスタートポイントに記録されたトラック番号のオーディオファイルにおいて連続するポイント（タイムコード）から続けて再生される。
【００５３】
ループ再生を行う際、ユーザは再生リスト中のオーディオファイルの再生中にループスイッチ３８を押す。このとき、再生リストの選択に応じてＲＡＭ１６に蓄えられていたオーディオデータが読み出されてシームレスな再生が開始されると共に、ループ開始ポイントに記録されたトラック番号のオーディオファイルにおいて連続するポイント（タイムコード）が続けて再生される。
【００５４】
以上説明したように、本実施の形態では、多数のオーディオファイルを再生リスト単位で管理し、さらに、再生リスト上でオーディオファイル単位でホットスタートポイント情報及びループポイント情報を管理する。
【００５５】
これにより、本実施の形態では、各２〜３個のホットスタートスイッチ３７及びループスイッチ３８を用いて、光ディスク単位での従来のプレイと同様の操作感覚で、再生リスト単位でのプレイが可能となる。このため、このため、従来の光ディスク単位でのプレイに馴染んだユーザにはその操作に何ら違和感を感じさせずに、高い操作性で、再生リスト単位で多数のオーディオファイルの再生が可能である。
【００５６】
また、再生リスト毎に、各オーディオファイルについて異なるポイント情報を設定可能である。このため、同じ曲であっても、再生リスト毎に異なる演出を設定することが可能であり、ユーザのプレイの幅を広げることができるなど、高い利便性が提供される。
【００５７】
他方、再生リストについて設定されたポイント情報の全てに対してスイッチを設ける構成においては、その分多量のデータを記憶可能な大容量のメモリが必要となる。例えば、スイッチを８つ設けた構成では、プレイリスト専用の８つのポイントに加えて、通常操作用に２〜３個のホットスタートポイントで構成される事となる。このとき、合計１０〜１１個のホットスタートポイントに対して、例えば１６ｂｉｔ、４４．１ｋＨｚサンプルのステレオ信号各３秒分のデータを読み出しておく場合には、１４Ｍｂｉｔ〜１６Ｍｂｉｔ程度の容量のメモリが必要となる。しかし、本実施の形態によれば、スイッチはせいぜい通常の２〜３個のホットスタートポイント分のメモリしか要しない為、３Ｍｂｉｔ〜４．２Ｍｂｉｔ程度の容量のメモリで十分であるという効果を奏する。また、昨今扱うオーディオ信号がハイビット（例えば２４ｂｉｔ）／ハイサンプリング周波数（例えば９６ｋＨｚ）化されてきており、その様な場合では、更に本効果は有効である。このように、本実施の形態によれば、少ないメモリ容量として、ハードコストを低廉に維持しつつ、多数のポイント情報を設定可能な、利便性及び操作性の高い再生装置の提供が可能である。
【００５８】
他方、再生リストについて設定されたポイント情報の全てに対してスイッチを設ける構成においては、その分多量のデータを記憶可能な大容量のメモリが必要となる。例えば、スイッチを８つ設けた構成では、各３秒分のデータを読み出しておく場合、４０Ｍｂｉｔ程度の容量のメモリが必要となる。しかし、本実施の形態では、スイッチはせいぜい４〜６個で済み、５０ｋｂｉｔ程度の容量のメモリで十分である。このように、本実施の形態によれば、少ないメモリ容量として、ハードコストを低廉に維持しつつ、多数のポイント情報を設定可能な、利便性及び操作性の高い再生装置の提供が可能である。
【００５９】
本発明は、上記実施の形態に限られず、当業者に自明な種々の変更、修正、追加等が可能である。
【００６０】
上記実施の形態では、オーディオファイルがハードディスクに保存された場合を例として説明した。しかし、記録媒体２６はハードディスクに限られず、フラッシュメモリ等いかなるものであってもよい。
【００６１】
また、図３に示す上記例では、再生リストの各オーディオファイルには当該オーディオファイルにおける任意のポイントが設定されるものとした。しかし、各オーディオファイルに関連づけられるポイント情報は、再生リスト内であれば、他のオーディオファイルのポイントであってもよい。
【００６２】
また、上記実施の形態では、ホットスタートスイッチ３７及びループスイッチ３８について、割り当てられたポイントデータの有無に応じて点灯するＬＥＤをその内部に設けるものとした。しかし、各スイッチに割り当てられたポイントデータの有無をユーザに通知する方法は、これに限られず、例えば、ＬＥＤをスイッチとは別の場所に設けてもよく、表示面４０に表示したりしてもよい。
【００６３】
さらに、選択した再生リストについてのポイントデータの有無だけでなく、その具体的な設定内容（オーディオファイル、曲中のポイント）をユーザに通知するようにしてもよい。この場合、例えば、表示面４０にオーディオファイル上のポイントをタイムバー等により表示しても良い。また、設定ポイントの関連情報として、ユーザが設定内容を認識可能なアイコン等を表示するようにしてもよい。この場合、再生リスト上のオーディオファイルの属性情報として、アイコン等に関連づけられた情報を付加すればよい。これにより、多数の曲毎に設定されるポイントの設定内容をユーザは把握することが可能となる。
【００６４】
さらにまた、上記実施の形態において、再生リストに情報が登録されたデータファイルが削除されている場合には、再生リスト上で当該ファイルの選択ができないようにしてもよい。この場合、例えば、システム制御部１２は、再生リストが選択された時点で記憶媒体２６にリストに登録されたデータファイルが存在するか否かを確認し、存在しないファイルについては選択できないものに設定し、設定されたポイント情報に基づくＲＡＭ１６へのデータの読出しは行わない。これにより、不意な音切れ、不要な読出し処理等を防ぎ、シームレスな再生が実現可能である。
また、ループの開始点及び終点が異なるデータファイルについて設定されており、開始点を含むデータファイルが削除された場合、システム制御部１２は、例えば、ループ情報に基づくＲＡＭ１６へのデータ読出しは行わない。逆に、終点を含むデータファイルが削除された場合には、システム制御部１２は、例えば、他のデータファイルについて設定された開始点のデータはＲＡＭ１６に読出すが、終点データの読出しは行わない。これにより、不要な処理を排除することができる。
【００６５】
上記実施の形態では、オーディオファイルについて本発明を適用した場合について説明した。しかし、本発明は、ビデオデータを処理する場合についても好適に適用可能である。
【図面の簡単な説明】
【００６６】
【図１】本発明の実施の形態に係る再生装置の構成を示すブロック図である。
【図２】本発明の実施の形態に係る再生装置の操作パネルの例を示す図である。
【図３】本発明の実施の形態における管理データ及び再生リストデータの構成例を示す図である。
【符号の説明】
【００６７】
１０：再生装置、１２：システム制御部、１４：再生部、１６：ＲＡＭ、１８メモリ制御部、２０：ＤＡＣ、２２：表示部、２４：操作部、３０：操作パネル、３１：ジョグダイヤル、３２：再生スイッチ、３３：再生停止スイッチ、３４：再生リスト選択スイッチ、３５：選択つまみ、３６：エンタースイッチ、３７：ホットスタートスイッチ、３８：ループスイッチ、３９：クリアスイッチ、４０：表示面
【図１】
2008204560.tif 000003
【図２】
2008204560.tif 000004
【図３】
2008204560.tif 000005